(57)【特許請求の範囲】
【請求項１】
所定のシリアルインターフェースポートを有するコントローラ機器と、
所定のシリアルインターフェースポートと、所定の無線通信方式又は光無線通信方式のポートとを有するプロトコル変換器と、
所定のシリアルインターフェースポートと、前記所定の無線通信方式又は前記光無線通信方式のポートとを有する１台以上のターゲット機器とを有し、前記コントローラ機器と前記プロトコル変換器、及び、前記プロトコル変換器と前記ターゲット機器がそれぞれ前記シリアルインターフェースポートにより接続されている、前記ターゲット機器の電源を制御する電源制御システムであって、
前記ターゲット機器が前記所定の無線通信方式又は前記光無線通信方式のポートを除いて電源がオフであるスタンバイ状態である場合に、
前記コントローラ機器からの前記ターゲット機器の電源をオン／オフにするためのパワーオン／オフコマンドを、前記プロトコル変換器が前記所定のシリアルインターフェースポートを介して受信したとき、
前記プロトコル変換器は、前記ターゲット機器に対して、前記所定の無線通信方式又は前記光無線通信方式により前記ターゲット機器の電源をオン／オフにするためのパワーオン／オフ信号を送信し、
前記ターゲット機器は、前記パワーオン／オフ信号を受信することで、前記所定の無線通信方式又は前記光無線通信方式のポート以外の電源もオンにすることを特徴とする電源制御システム。
【請求項２】
前記プロトコル変換器は、前記所定のシリアルインタフェースポートに接続された前記ターゲット機器を示す第一の識別番号、及び、前記所定の無線通信方式又は前記光無線通信方式を示す第二の識別番号に対応する第三の識別番号を示す識別番号の対照表を保持することを特徴とする請求項１に記載の電源制御システム。
【発明の詳細な説明】
【発明の属する技術分野】
本発明は、電源制御システムに関し、特に所定のシリアルインタフェース及び所定の無線通信方式あるいは光無線通信方式インタフェースを具備する電源制御システムに関するものである。
【従来の技術】
ディジタルデータを扱うＡＶ機器（例えば、ＶＣＲ(Video Cassette Recorder)やＳＴＢ(Set Top Box)など）を相互に接続するインタフェースとして、「ＩＥＥＥ１３９４ハイ・パフォーマンス・シリアルバス」（以下、ＩＥＥＥ１３９４と略記する）がある。
ＩＥＥＥ１３９４は、２種類のデータ転送モードを備えている。一つは、通常のデータ転送に使用する非同期（Asynchronous）転送モード、もう一つは、所定の時間（例えば１２５マイクロ秒）内にデータ転送されることが保証されている同期（Isochronous）転送モードである。例えば、上記ＡＶ機器を組み合わせたマルチメディアシステムでは、非同期転送モードは転送の時間遅れがあまり問題にならないコマンドなどの転送に用いられ、同期転送モードは時間遅れが問題となる動画や音声データなどの転送に用いられる。
ＩＥＥＥ１３９４を搭載するＡＶ機器は、機器ごとに異なる６４ビットのＮｏｄｅ Ｕｎｉｑｕｅ  Ｉｄと呼ばれる識別番号をＣｏｎｆｉｇｕｒａｔｉｏｎ  ＲＯＭと呼ばれる、機器の情報を格納するメモリに持つことが決められている。そのため個々の機器の識別は容易である。
ＩＥＥＥ１３９４でＡＶ機器を制御するための仕様に１３９４ＴＡ(Trade Association)が定めた「ＡＶ／Ｃデジタル インタフェース コマンドセット ジェネラル スペシフィケーション」（以下この仕様に基くコマンドをＡＶ／Ｃコマンドと略記する）がある。その仕様の中で、図９に示すＡＶ／Ｃコマンドフレームを使用してコマンドを送信することが決められている。尚、ＡＶ／Ｃコマンドフレームの転送には前記非同期転送モードが使用される。
次に図９に示されるＡＶ／Ｃコマンドフレームを説明する。「0000」は、コマンドセットがＡＶ／Ｃデジタル インタフェース コマンドセットであることを示す。「ctype」はコマンドタイプを示す（表１）。
【表１】
0003780929.tif 000002
また、「subunit  type」はサブユニットのタイプを示しており（表２）、例えば５はチューナーを表している。
【表２】
0003780929.tif 000003
更に、「subunit  ID」はサブユニットの中での識別番号であり（表３）、各サブユニットのうち最大5台までを識別可能である。
【表３】
0003780929.tif 000004
また、「subunit  type」と「subunit  ID」を合わせてＡＶ／Ｃアドレスという（表４）。
【表４】
0003780929.tif 000005
更に、「opcode」はコマンドの内容を示しており、「operand[0]〜[n]」は前記「opcode」に付帯するパラメータを示している。例えば、opcode=B216、operand=7016はパワーオンを表す（表５）。
【表５】
0003780929.tif 000006
次にＩＥＥＥ１３９４で使用されるユニットとサブユニットについて説明する（図１０）。ユニットとはひとつのＡＶ機器を示し、サブユニットはそのＡＶ機器内にもつ機能単位を表す。例えば図７にＶＣＲの例を示す。通常ＶＣＲは、チューナー部分とテープレコーダ／プレイヤー部分を併せ持っており、ＶＣＲがユニット、チューナーとテープレコーダ／プレイヤーがサブユニットとなる。なお、ＡＶ／Ｃコマンドはユニットに対してでなくサブユニットに対しても送ることが可能である。例えばsubunit  type=1F16,subunit  ID=7,opcode=B216,operand=7016をＶＣＲに送るとＶＣＲ全体がパワーオンする。一方、subunit  type=5，subunit  ID=0,opcode=B216，operand=7016をＶＣＲに送るとＶＣＲの中のチュ−ナー部分がパワーオンする。
ところで、近距離無線通信方式の一つとして「ブルートゥース」がある。ブルートゥースはＩＳＭ(Industrial Scientific Medical)バンドの一つである２．４ＧＨｚ帯を使用するためユーザーは免許無しで使用可能である。また、変調にスペクトラム拡散の一つである周波数ホッピング方式を使っているため他の機器との電波干渉に強い。更に、１０ｍ〜１００ｍ程度の近距離通信であることと小型携帯機器への搭載を考えて規格が策定されたため消費電力は低く抑えられている。
ブルートゥースでは1台のマスタと最大７台までのスレーブが無線通信ネットワークを構成することができる（図１２）。この無線通信ネットワークはピコネットと呼ばれる。ネットワークに参加している個々の機器は、各機器のもつ４８ビットのブルートゥースアドレスという識別番号によってを容易に識別できる。
以上のようにブルートゥースはＡＶ機器の制御に適した特性を備えている。
図２は、複数のＡＶ機器（この場合、ＡＶ機器Ａ〜ＡＶ機器Ｅ）がシリアルインタフェースを介して相互に接続されている場合の接続例を示す図である。また、図６はコントローラ（ＡＶ機器Ａ）１００−ａの処理ステップ、図７は中継器（ＡＶ機器Ｅ）１００−ｅの処理ステップ、図８はターゲット（ＡＶ機器Ｃ）１００−ｃの処理ステップを示すフローチャートである。
最初にコントローラ（ＡＶ機器Ａ）１００−ａに対して、ターゲット（ＡＶ機器Ｃ）１００−ｃへのパワーオンコマンドが入力される（図６、処理ステップ３００）。コントローラ（ＡＶ機器Ａ）１００−ａはシリアルインタフェース上にターゲット（ＡＶ機器Ｃ）１００−ｃが存在するかを調べる（図６、処理ステップ３０１）。この場合に、ターゲット（ＡＶ機器Ｃ）１００−ｃのシリアルインタフェース回路１０２−ｃの電源が供給されていないか、または、実際にシリアルインタフェースに接続されていない場合には、シリアルインタフェース上にはターゲット１００−ｃが存在しないことになり処理は終了する（図６、処理ステップ３０１分岐ＮＯ）。一方、シリアルインタフェース上にターゲット（ＡＶ機器Ｃ）１００−ｃが存在する場合（図６、処理ステップ３０１分岐ＹＥＳ）には、シリアルインタフェースコネクタ１０２−ａからＡＶ機器ｃターゲットへのパワーオンコマンドを送信する（図６、処理ステップ３０２）。
次に、シリアルインタフェースコネクタ１０２−ｅからターゲット（ＡＶ機器Ｃ）１００−ｃへのパワーオンコマンドを受信（図７、処理ステップ３１１）した中継器（ＡＶ機器Ｅ）１００−ｅは、シリアルインタフェースコネクタ１０４−ｅからターゲット（ＡＶ機器Ｃ）１００−ｃへのパワーオンコマンドを送信する（図７、処理ステップ３１２）。
シリアルインタフェースコネクタ１０２−ｃからターゲット（ＡＶ機器Ｃ）１００−ｃへのパワーオンコマンドを受信（図８、処理ステップ３３０）したターゲット（ＡＶ機器Ｃ）１００−ｃは、自機器のパワーをオンする（図８、処理ステップ３３１）。
ターゲット（ＡＶ機器Ｃ）１００−ｃが本体の電源のオフと連動してシリアルインタフェース回路１０１−ｃへの電源もオフされるような機器であるとする。
本体電源オフの場合、ターゲット（ＡＶ機器Ｃ）１００−ｃはシリアルインタフェース上に存在しないため、コントローラ（ＡＶ機器Ａ）１００−ａからのコマンドを受信することはできない（図６、処理ステップ３０１分岐ＮＯ）。
一方、ターゲット（ＡＶ機器Ｃ）１００−ｃが本体の電源のオフに関係なくシリアルインタフェース回路１０１−ｃへの電源が常にオンであるような機器であるとする。本体電源オフの場合でも、ターゲット（ＡＶ機器Ｃ）１００−ｃはコントローラ（ＡＶ機器Ａ）１００−ａからのコマンドを受信することができる。しかし、ターゲット（ＡＶ機器Ｃ）１００−ｃの本体が電源オフの場合でもシリアルインタフェース回路１０１−ｃは電力を消費することになる。
【発明が解決しようとする課題】
本体の電源スイッチとシリアルインタフェース回路の電源部が連動してオフとなるような機器の場合、本体電源オフのときシリアルインタフェースを通して送られてくるコマンドを受信できないという課題があった。
また、本体の電源スイッチの状態に関係なくシリアルインタフェース回路の電源を常にオンにすると、本体電源オフのときでもシリアルインタフェースを通して送られてくるコマンドを受信できるものの、シリアルインタフェース回路で電力を消費してしまうという課題があった。
そこで本発明は、シリアルインタフェース上に送信されたターゲット機器向けのパワーオンコマンドをプロトコル変換器が無線通信方式あるいは光無線通信方式によるパワーオン信号に変換して送信する。ターゲット機器の無線通信方式又は光無線通信方式のポート部の電源のみＯＮであり、その他の部分は電源がオフであるいわゆるスタンバイ状態であり、前述したパワーオン信号によってターゲット機器のそれ以外の部分の電源もオンになる。それによって、本体電源オフのスタンバイ状態でもコマンドを受信でき、かつ無駄な電力消費を抑えることができるＡＶシステムを実現する電源制御システムを提供することを目的としている。
尚、一般に無線通信方式あるいは光無線通信方式による無線受信回路の消費電力は、シリアルインタフェース回路の消費電力に比べて小さい。
【課題を解決するための手段】
上記目的を達成するために、所定のシリアルインターフェースポートを有するコントローラ機器と、所定のシリアルインターフェースポートと、所定の無線通信方式又は光無線通信方式のポートとを有するプロトコル変換器と、所定のシリアルインターフェースポートと、前記所定の無線通信方式又は前記光無線通信方式のポートとを有する１台以上のターゲット機器とを有し、前記コントローラ機器と前記プロトコル変換器、及び、前記プロトコル変換器と前記ターゲット機器がそれぞれ前記シリアルインターフェースポートにより接続されている、前記ターゲット機器の電源を制御する電源制御システムであって、前記ターゲット機器が前記所定の無線通信方式又は前記光無線通信方式のポートを除いて電源がオフであるスタンバイ状態である場合に、前記コントローラ機器からの前記ターゲット機器の電源をオン／オフにするためのパワーオン／オフコマンドを、前記プロトコル変換器が前記所定のシリアルインターフェースポートを介して受信したとき、前記プロトコル変換器は、前記ターゲット機器に対して、前記所定の無線通信方式又は前記光無線通信方式により前記ターゲット機器の電源をオン／オフにするためのパワーオン／オフ信号を送信し、前記ターゲット機器は、前記パワーオン／オフ信号を受信することで、前記所定の無線通信方式又は前記光無線通信方式のポート以外の電源もオンにすることを特徴とする電源制御システムを提供する。
また、前記プロトコル変換器は、前記所定のシリアルインタフェースポートに接続された前記ターゲット機器を示す第一の識別番号、及び、前記所定の無線通信方式又は前記光無線通信方式を示す第二の識別番号に対応する第三の識別番号を示す識別番号の対照表を保持することを特徴とする請求項１に記載の電源制御システムを提供する。
【発明の実施の形態】
図１は、本発明の一実施例の形態の構成例を示す図である。図２に示す場合と対応する部分には同一の符号を付してある。図２におけるＡＶ機器Ｅ１００−ｅが、無線通信方式あるいは光無線通信方式の信号送信手段１１０−ｄを備えたプロトコル変換器１００−ｄに置換えられていることと、ＡＶ機器Ｂ１００−ｂとＡＶ機器Ｃ１００−ｃに無線通信方式あるいは光無線通信方式の信号受信手段１１０−ｂ及び１１０−ｃが備わっていることが図２の従来例と異なる。また、図３はコントローラ（ＡＶ機器Ａ）１００−ａの処理ステップ、図４（Ａ）はプロトコル変換器１００−ｄのコマンドプロトコル変換に関する処理ステップ、図４（Ｂ）はプロトコル変換器１００−ｄの識別番号問合せに関する処理ステップ、図５はターゲット（ＡＶ機器Ｃ）１００−ｃの処理ステップを示すフローチャートである。
最初にコントローラ（ＡＶ機器Ａ）１００−ａに対して、ターゲット（ＡＶ機器Ｃ）１００−ｃへのパワーオンコマンドが入力される（図３、処理ステップ２００）。コントローラ（ＡＶ機器Ａ）１００−ａはシリアルインタフェース上にターゲット（ＡＶ機器Ｃ）１００−ｃが存在するかを調べる（図３、処理ステップ２０１）。
そして、シリアルインタフェース上にターゲット（ＡＶ機器Ｃ）１００−ｃが存在する場合（図３、処理ステップ２０１分岐ＹＥＳ）は、シリアルインタフェースコネクタ１０２−ａからターゲット（ＡＶ機器Ｃ）１００−ｃへのパワーオンコマンドを送信する（図３、処理ステップ２０６）。なお、ターゲット機器はスタンバイ状態にあるものとする。
一方、シリアルインタフェース上にターゲット（ＡＶ機器Ｃ）１００−ｃが存在しない場合（図３、処理ステップ２０１分岐ＮＯ）は、シリアルインタフェース上にプロトコル変換器１００−ｄが存在するかを調べる（図３、処理ステップ２０２）。
このとき、シリアルインタフェース上にプロトコル変換器１００−ｄが存在しない場合（図３、処理ステップ２０２分岐ＮＯ）、処理は終了する。
一方、シリアルインタフェース上にプロトコル変換器１００−ｄが存在する場合（図３、処理ステップ２０１分岐ＹＥＳ）は、プロトコル変換器１００−ｄに対してターゲット（ＡＶ機器Ｃ）１００−ｃの識別番号Ｓｃに対応するプロトコル変換器内の識別番号を問い合わせる（図３、処理ステップ２０３）。
そして、シリアルインタフェース上の識別番号Ｓｃについての問合せを受信した（図４Ｂ、処理ステップ２２０）プロトコル変換器１００−ｄは、識別番号対照表１２０−ｄにシリアルインタフェース上の識別番号Ｓｃが登録されているか調べる（図４Ｂ、処理ステップ２２１）。もし登録されていない場合（図４Ｂ、処理ステップ２２１分岐ＮＯ）は登録されていないことをコントローラ（ＡＶ機器Ａ）１００−ａに通知する（図４Ｂ、処理ステップ２２３）。登録されている場合（図４Ｂ、処理ステップ２２１分岐ＹＥＳ）は識別番号対照表からシリアルインタフェース上の識別番号Ｓｃに対応するプロトコル変換器内の識別番号Ｐｃをコントローラ（ＡＶ機器Ａ）１００−ａに通知する（図４Ｂ、処理ステップ２２２）。
このとき、プロトコル変換器１００−ｄに対してターゲット（ＡＶ機器Ｃ）１００−ｃの識別番号Ｓｃに対応するプロトコル変換器内の識別番号Ｐｃが存在しない場合（図３、処理ステップ２０４分岐ＮＯ）、処理は終了する。
一方、プロトコル変換器１００−ｄに対してターゲット（ＡＶ機器Ｃ）１００−ｃの識別番号Ｓｃに対応するプロトコル変換器内の識別番号Ｐｃが存在する場合（図３、処理ステップ２０４分岐ＹＥＳ）、シリアルインタフェースコネクタ１０２−ａからプロトコル変換器内の識別番号Ｐｃに向けてパワーオンコマンドを送信する（図３、処理ステップ２０５）。
次に、プロトコル変換器１００−ｄはシリアルインタフェースコネクタ１０２−ｄからプロトコル変換器内の識別番号Ｐｃに向けたパワーオンコマンドを受信する（図４Ａ、処理ステップ２１０）。識別番号対照表（１０２−ｄ）からプロトコル変換器内の識別番号Ｐｃに対応した無線通信方式あるいは光無線通信方式上での識別番号Ｗｃを取得する（図４Ａ、処理ステップ２１１）。無線通信方式あるいは光無線通信方式の信号送信手段１１０−ｄから無線通信方式あるいは光無線通信方式上での識別番号Ｗｃに対してパワーオンコマンドを送信する（図４Ａ、処理ステップ２１２）。
無線通信方式あるいは光無線通信方式の信号受信手段１１０−ｃからターゲット（ＡＶ機器Ｃ）１００−ｃへのパワーオンコマンドを受信（図５、処理ステップ２３０）したターゲット（ＡＶ機器Ｃ）１００−ｃは、自機器のパワーをオンする（図５、処理ステップ２３１）。
以降、ターゲット（ＡＶ機器Ｃ １００−ｃ）はシリアルインタフェースからコマンドを直接受信することができる。
識別番号対照表の実施例を表６に示す。
【表６】
0003780929.tif 000007
シリアルインタフェース上の識別番号とプロトコル変換器内の識別番号と無線通信方式あるいは光無線通信方式の識別番号を関連付ける。例えばシリアルインタフェース上の識別番号ＳｃであるＡＶ機器Ｃは、プロトコル変換器内の識別番号Ｐｃと無線通信方式あるいは光無線通信方式の識別番号Ｗｃと関連付けられている。
表７は、シリアルインタフェースにＩＥＥＥ１３９４、無線通信方式あるいは光無線通信方式に近接無線通信方式であるブルートゥースを使用した識別番号対照表の例である。
【表７】
0003780929.tif 000008
シリアルインタフェース上の識別番号として、ＩＥＥＥ１３９４の機器ごとに独自な６４ビットのＮｏｄｅ  Ｕｎｉｑｕｅ  Ｉｄ、プロトコル変換器内の識別番号としてＩＥＥＥ１３９４ ＡＶ／Ｃプロトコルで定められている８ビットのＡＶ／Ｃアドレス、無線通信方式あるいは光無線通信方式の識別番号としてブルートゥースの４８ビットのブルートゥースアドレスを使用している。本来機器内の機能ユニットを示すＡＶ／Ｃアドレスを別の機器に関連付ける（図１１）ことによって、既存のＡＶ／Ｃコマンドを使ってＩＥＥＥ１３９４が動作していないような機器でもブルートゥース経由でコマンドを送ることが可能となる。
【発明の効果】
以上、詳述したように、本発明のＡＶシステムは、所定のシリアルインタフェース上に送信されたターゲット機器向けのパワーオンコマンドをプロトコル変換器が無線通信方式あるいは光無線通信方式によるパワーオン信号に変換して送信、ターゲット機器を電源オンさせることによって、本体電源オフでもコマンドを受信でき、かつ無駄な電力消費を抑えるという効果がある。
【図面の簡単な説明】
【図１】本発明のＡＶシステムの実施例を示す構成図である。
【図２】従来のＡＶシステムの実施例を示す構成図である。
【図３】本発明のＡＶシステムの実施例のＡＶ機器Ａコントローラ１００−ａの処理ステップを示すフローチャートである。
【図４】本発明のＡＶシステムの実施例のプロトコル変換器１００−ｄの処理ステップを示すフローチャートである。
【図５】本発明のＡＶシステムの実施例のＡＶ機器Ｃターゲット１００−ｃの処理ステップを示すフローチャートである。
【図６】従来のＡＶシステムの実施例のＡＶ機器Ａコントローラ１００−ａの処理ステップを示すフローチャートである。
【図７】従来のＡＶシステムの実施例のＡＶ機器（中継器）Ｅ１００−ｅの処理ステップを示すフローチャートである。
【図８】従来のＡＶシステムの実施例のＡＶ機器Ｃターゲット１００−ｃの処理ステップを示すフローチャートである。
【図９】ＡＶ／Ｃコマンドフレームを示す図である。
【図１０】ＩＥＥＥ１３９４でのユニットとサブユニットの構成例を示す図である。
【図１１】本発明のＡＶシステムのプロトコル変換器におけるユニットとサブユニットの構成例を示す図である。
【図１２】ブルートゥースの無線通信ネットワーク（ピコネット）の例を示す図である。
【符号の説明】
５０、５１、５２    シリアルインタフェースケーブル
６０、６１    無線通信方式あるいは光無線通信方式の信号
１００−ａ    ＡＶ機器（コントローラ）
１００−ｂ、１００−ｃ、    ＡＶ機器（ターゲット）
１００−ｄ    プロトコル変換器
１００−ｅ    ＡＶ機器
１０１−ａ〜１０１−ｅ    シリアルインタフェース回路
１０２−ａ、１０２−ｂ、１０２−ｃ、１０２−ｄ、１０３−ｄ、１０４−ｄ、１０２−ｅ、１０３−ｅ、１０４−ｅ    シリアルインタフェースコネクタ
１１０−ｂ、１１０−ｃ    無線通信方式あるいは光無線通信方式の信号受信手段
１１０−ｄ    無線通信方式あるいは光無線通信方式の信号送信手段
１２０−ｄ    シリアルインタフェースの識別番号と無線通信方式あるいは光無線通信方式の識別番号とプロトコル変換器内の識別番号の対照表
【図１】
0003780929.tif 000009
【図２】
0003780929.tif 000010
【図３】
0003780929.tif 000011
【図４】
0003780929.tif 000012
【図５】
0003780929.tif 000013
【図６】
0003780929.tif 000014
【図７】
0003780929.tif 000015
【図８】
0003780929.tif 000016
【図９】
0003780929.tif 000017
【図１０】
0003780929.tif 000018
【図１１】
0003780929.tif 000019
【図１２】
0003780929.tif 000020